(57)【要約】【課題】本発明は自動クリーニングのパソコンキーボードを開示した。【解決手段】キーボード箱及び前記キーボード箱の中に設置されたクリーニングチャンバを含み、前記クリーニングチャンバが上方に開口しており、前記クリーニングチャンバの左端面の中には反転溝が設置され、前記反転溝の後壁には伝動歯が設置され、前記クリーニングチャンバの右壁の中には側スライド溝が設置され、本発明はキーボードをクリーニングする時、スイッチを制御すれば本発明を始動してキーボードを自動的にクリーニングすることができ、キーボードのクリーニング効率が大いに高め、また、キーボードの上表面をクリーニングできるだけではなく、キーボードの隙間もクリーニングでき、より良いクリーニング効果を達し、キーボードの清潔を保証できる。【選択図】図１
2020175374.tif 000002
【特許請求の範囲】
【請求項１】
正面視で、キーボード箱及び前記キーボード箱の中に設置されたクリーニングチャンバを含み、前記クリーニングチャンバが上方に開口しており、前記クリーニングチャンバの左端面の中には反転溝が設置され、前記反転溝の後壁には伝動歯が設置され、前記クリーニングチャンバの右壁の中には側スライド溝が設置され、前記側スライド溝の中には側スライドブロックがスライドできるように設置され、前記側スライドブロックの左端面には右連結軸が回転できるように設置され、前記右連結軸の左端にはキーボードが固定的に設置され、前記キーボードの左端には左連結軸が固定的に設置され、前記左連結軸の左端が前記反転溝の中に伸びており、前記左連結軸の左端にはギヤが固定的に設置され、前記ギヤが前記伝動歯と噛み合っており、前記側スライドブロックが下降する時に前記右連結軸によって前記キーボードを下降連動させ、前記ギヤと前記伝動歯との噛み合いによって前記左連結軸が前記キーボードを反転連動させ、前記キーボードのキーの面が下方に向き、前記クリーニングチャンバの左壁の中には左スライド溝が設置され、前記左スライド溝の中には左スライドブロックがスライドできるように設置され、前記クリーニングチャンバの右壁の中には右スライド溝が設置され、前記右スライド溝の中には右スライドブロックがスライドできるように設置され、前記右スライド溝の前後壁の間には第二親ねじが回転できるように設置され、前記右スライドブロックが前記第二親ねじとねじ山によって嵌合され、前記右スライドブロックと前記左スライドブロックとの間には二つの第一親ねじが回転できるように設置され、前後の前記第一親ねじにはそれぞれ平行移動ブロックがねじ山によって嵌合され、前後の前記平行移動ブロックがそれぞれ左右両側に位置しており、前記クリーニングチャンバの底壁の中には底スライド溝が設置され、前記底スライド溝の中には底スライドブロックがスライドできるように設置され、前記底スライドブロックが前記平行移動ブロックと連結され、前記平行移動ブロックの上端には固定ロッドが固定的に設置され、前側の前記固定ロッドの上端には隙間クリーニングブロックが固定的に設置され、後側の前記固定ロッドの上端には上表面クリーニングブロックが固定的に設置され、前記隙間クリーニングブロックはキーの間の隙間をクリーニングすることができ、前記上表面クリーニングブロックはキーの上表面をクリーニングすることができ、前記第一親ねじが回転して前記隙間クリーニングブロックと、前記上表面クリーニングブロックとを左右へ繰り返して移動させてクリーニングを行い、前記第二親ねじが回転して前記右スライドブロックを前後へ移動させ、それによって前記上表面クリーニングブロックと、前記隙間クリーニングブロックとを前後へ移動連動させ、キーボード全体へのクリーニングを完成し、前記キーボード箱の中には水噴射装置が設置され、クリーニングする前に、前記水噴射装置が水を噴き出して前記上表面クリーニングブロックと、前記隙間クリーニングブロックとを湿らすことを特徴とする自動クリーニングのパソコンキーボード。
【請求項２】
前記水噴射装置は前記キーボード箱の中に設置された空きチャンバを含み、前記空きチャンバの後壁の中には上方に開口した置き溝が左右対称的に設置され、前記置き溝の中にはじょうろ機構が置かれており、前記じょうろ機構は前記置き溝の中から取り出されてその中に水を加えることができ、前記空きチャンバの左右壁の間には押し板がスライドできるように設置され、前記押し板の後端面が前記じょうろ機構と協働され、前記空きチャンバの底壁には回転軸が回転できるように設置され、前記回転軸には回転盤が固定的に設置され、前記回転盤の下端面にはヒンジロッドがヒンジで連結され、前記ヒンジロッドと前記押し板との間が押圧ブロックによって連結され、前記空きチャンバの底壁には下油シリンダが固定的に設置され、前記下油シリンダの中には左方と右方に開口した下油チャンバが設置され、前記下油チャンバの中には下押し油ブロックがスライドできるように設置され、前記下押し油ブロックの左端面には前記空きチャンバの中に伸びている伝動ロッドが固定的に設置され、前記伝動ロッドの左端には前記回転盤と噛み合っているラックが固定的に設置され、前記下押し油ブロックと前記下油チャンバの左壁との間には下バネが連結され、前記側スライド溝の底壁には上油シリンダが固定的に設置され、前記上油シリンダの中には連結管によって前記下油チャンバと連通している上油チャンバが設置され、前記上油チャンバの中には上押し油ブロックがスライドできるように設置され、前記上押し油ブロックの下端面と前記上油チャンバの底壁との間には上バネが連結され、前記上押し油ブロックの下端面と前記下押し油ブロックの右端面との間には作動油が溢れており、前記上押し油ブロックの上端面には前記側スライド溝の中に伸びて前記側スライドブロックの下端面と固定的に連結された連結ロッドが固定的に設置され、前記側スライドブロックが下降した後、前記上押し油ブロックによって作動油を押して前記ラックに前記回転盤を回転連動させ、更に前記じょうろ機構を押して前記じょうろ機構に水を吹き出させることを特徴とする請求項１に記載の自動クリーニングのパソコンキーボード。
【請求項３】
前記左スライドブロックの中にはベルトチャンバが設置され、前記平行移動ブロックが前記ベルトチャンバの中に伸びており、前後の前記平行移動ブロックの間がベルト機構によって伝動できるように連結され、前記ベルトチャンバの左壁の中には第一モーターが固定的に設置され、前記第一モーターが動力軸によって前記ベルト機構と連結され、前記右スライド溝の後壁の中には第二モーターが設置され、前記第二親ねじが前記第二モーターと動力が伝達できるように連結されていることを特徴とする請求項１に記載の自動クリーニングのパソコンキーボード。
【請求項４】
前記キーボード箱の右端面には前記側スライド溝と連通しているスイッチスライド溝が設置され、前記スイッチスライド溝の中には前記側スライドブロックと連結されたスイッチがスライドできるように設置され、前記スイッチスライド溝の前後端面には協働弧状ブロックが固定的に設置され、前記スイッチの前後端面には弧状ブロックが固定的に設置され、前記弧状ブロックは一定の弾性を持つ材質の物であり、それによって位置を保持する作用を果たせることを特徴とする請求項１に記載の自動クリーニングのパソコンキーボード。
【発明の詳細な説明】
【技術分野】
【０００１】
本発明はパソコン付属品技術分野に関わり、具体的には自動クリーニングのパソコンキーボードである。
【背景技術】
【０００２】
キーボードを使う時にそのキーの表面は手と接触し、キーの表面には汚れは多く、また、キーの間には隙間が存在しているため、キーの側面に埃や汚れがついた後に人によってきれいにクリーニングすることが難しく、上記欠点に対して、本発明を開示した。
【先行技術文献】
【特許文献】
【０００３】
【特許文献１】中国特許出願公開第１０９４３３６８５号明細書
【発明の概要】
【発明が解決しようとする課題】
【０００４】
上記技術の不足に対して、本発明は自動クリーニングのパソコンキーボードを提出した。それは上記欠点を解消できる。
【課題を解決するための手段】
【０００５】
本発明装置の自動クリーニングのパソコンキーボードは、キーボード箱及び前記キーボード箱の中に設置されたクリーニングチャンバを含み、前記クリーニングチャンバが上方に開口しており、前記クリーニングチャンバの左端面の中には反転溝が設置され、前記反転溝の後壁には伝動歯が設置され、前記クリーニングチャンバの右壁の中には側スライド溝が設置され、前記側スライド溝の中には側スライドブロックがスライドできるように設置され、前記側スライドブロックの左端面には右連結軸が回転できるように設置され、前記右連結軸の左端にはキーボードが固定的に設置され、前記キーボードの左端には左連結軸が固定的に設置され、前記左連結軸の左端が前記反転溝の中に伸びており、前記左連結軸の左端にはギヤが固定的に設置され、前記ギヤが前記伝動歯と噛み合っており、前記側スライドブロックが下降する時に前記右連結軸によって前記キーボードを下降連動させ、前記ギヤと前記伝動歯との噛み合いによって前記左連結軸が前記キーボードを反転連動させ、前記キーボードのキーの面が下方に向き、前記クリーニングチャンバの左壁の中には左スライド溝が設置され、前記左スライド溝の中には左スライドブロックがスライドできるように設置され、前記クリーニングチャンバの右壁の中には右スライド溝が設置され、前記右スライド溝の中には右スライドブロックがスライドできるように設置され、前記右スライド溝の前後壁の間には第二親ねじが回転できるように設置され、前記右スライドブロックが前記第二親ねじとねじ山によって嵌合され、前記右スライドブロックと前記左スライドブロックとの間には二つの第一親ねじが回転できるように設置され、前後の前記第一親ねじにはそれぞれ平行移動ブロックがねじ山によって嵌合され、前後の前記平行移動ブロックがそれぞれ左右両側に位置しており、前記クリーニングチャンバの底壁の中には底スライド溝が設置され、前記底スライド溝の中には底スライドブロックがスライドできるように設置され、前記底スライドブロックが前記平行移動ブロックと連結され、前記平行移動ブロックの上端には固定ロッドが固定的に設置され、前側の前記固定ロッドの上端には隙間クリーニングブロックが固定的に設置され、後側の前記固定ロッドの上端には上表面クリーニングブロックが固定的に設置され、前記隙間クリーニングブロックはキーの間の隙間をクリーニングすることができ、前記上表面クリーニングブロックはキーの上表面をクリーニングすることができ、前記第一親ねじが回転して前記隙間クリーニングブロックと、前記上表面クリーニングブロックとを左右へ繰り返して移動させてクリーニングを行い、前記第二親ねじが回転して前記右スライドブロックを前後へ移動させ、それによって前記上表面クリーニングブロックと、前記隙間クリーニングブロックとを前後へ移動連動させ、キーボード全体へのクリーニングを完成し、前記キーボード箱の中には水噴射装置が設置され、クリーニングする前に、前記水噴射装置が水を噴き出して前記上表面クリーニングブロックと、前記隙間クリーニングブロックとを湿らす。
【０００６】
好ましくは、前記水噴射装置は前記キーボード箱の中に設置された空きチャンバを含み、前記空きチャンバの後壁の中には上方に開口した置き溝が左右対称的に設置され、前記置き溝の中にはじょうろ機構が置かれており、前記じょうろ機構は前記置き溝の中から取り出されてその中に水を加えることができ、前記空きチャンバの左右壁の間には押し板がスライドできるように設置され、前記押し板の後端面が前記じょうろ機構と協働され、前記空きチャンバの底壁には回転軸が回転できるように設置され、前記回転軸には回転盤が固定的に設置され、前記回転盤の下端面にはヒンジロッドがヒンジで連結され、前記ヒンジロッドと前記押し板との間が押圧ブロックによって連結され、前記空きチャンバの底壁には下油シリンダが固定的に設置され、前記下油シリンダの中には左方と右方に開口した下油チャンバが設置され、前記下油チャンバの中には下押し油ブロックがスライドできるように設置され、前記下押し油ブロックの左端面には前記空きチャンバの中に伸びている伝動ロッドが固定的に設置され、前記伝動ロッドの左端には前記回転盤と噛み合っているラックが固定的に設置され、前記下押し油ブロックと前記下油チャンバの左壁との間には下バネが連結され、前記側スライド溝の底壁には上油シリンダが固定的に設置され、前記上油シリンダの中には連結管によって前記下油チャンバと連通している上油チャンバが設置され、前記上油チャンバの中には上押し油ブロックがスライドできるように設置され、前記上押し油ブロックの下端面と前記上油チャンバの底壁との間には上バネが連結され、前記上押し油ブロックの下端面と前記下押し油ブロックの右端面との間には作動油が溢れており、前記上押し油ブロックの上端面には前記側スライド溝の中に伸びて前記側スライドブロックの下端面と固定的に連結された連結ロッドが固定的に設置され、前記側スライドブロックが下降した後、前記上押し油ブロックによって作動油を押して前記ラックに前記回転盤を回転連動させ、更に前記じょうろ機構を押して前記じょうろ機構に水を吹き出させる。
【０００７】
好ましくは、前記左スライドブロックの中にはベルトチャンバが設置され、前記平行移動ブロックが前記ベルトチャンバの中に伸びており、前後の前記平行移動ブロックの間がベルト機構によって伝動できるように連結され、前記ベルトチャンバの左壁の中には第一モーターが固定的に設置され、前記第一モーターが動力軸によって前記ベルト機構と連結され、前記右スライド溝の後壁の中には第二モーターが設置され、前記第二親ねじが前記第二モーターと動力が伝達できるように連結されている。
【０００８】
好ましくは、前記キーボード箱の右端面には前記側スライド溝と連通しているスイッチスライド溝が設置され、前記スイッチスライド溝の中には前記側スライドブロックと連結されたスイッチがスライドできるように設置され、前記スイッチスライド溝の前後端面には協働弧状ブロックが固定的に設置され、前記スイッチの前後端面には弧状ブロックが固定的に設置され、前記弧状ブロックは一定の弾性を持つ材質の物であり、それによって位置を保持する作用を果たせる。
【発明の効果】
【０００９】
上記により、本発明は構成が簡単で、使用が便利であり、キーボードをクリーニングする時、スイッチを制御すれば本発明を始動してキーボードを自動的にクリーニングすることができ、キーボードのクリーニング効率が大いに高め、また、キーボードの上表面をクリーニングできるだけではなく、キーボードの隙間もクリーニングでき、より良いクリーニング効果を達し、キーボードの清潔を保証できる。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の自動クリーニングのパソコンキーボードの全体構成概略図
【図２】図２は図１の中の「Ａ―Ａ」のところの構成概略図
【図３】図３は図１の中の「Ｂ―Ｂ」のところの構成概略図
【発明を実施するための形態】
【００１２】
以下、附図説明と実施例を合わせて、本発明にさらなる説明を行い、本発明の方式は以下の実施例を含むが、これだけに限定されたものではない。
【００１３】
図１〜３に示すように、本発明装置の自動クリーニングのパソコンキーボードは、キーボード箱１０及び前記キーボード箱１０の中に設置されたクリーニングチャンバ１８を含み、前記クリーニングチャンバ１８が上方に開口しており、前記クリーニングチャンバ１８の左端面の中には反転溝１２が設置され、前記反転溝１２の後壁には伝動歯１３が設置され、前記クリーニングチャンバ１８の右壁の中には側スライド溝２１が設置され、前記側スライド溝２１の中には側スライドブロック２４がスライドできるように設置され、前記側スライドブロック２４の左端面には右連結軸１９が回転できるように設置され、前記右連結軸１９の左端にはキーボード１６が固定的に設置され、前記キーボード１６の左端には左連結軸１５が固定的に設置され、前記左連結軸１５の左端が前記反転溝１２の中に伸びており、前記左連結軸１５の左端にはギヤ１４が固定的に設置され、前記ギヤ１４が前記伝動歯１３と噛み合っており、前記側スライドブロック２４が下降する時に前記右連結軸１９によって前記キーボード１６を下降連動させ、前記ギヤ１４と前記伝動歯１３との噛み合いによって前記左連結軸１５が前記キーボード１６を反転連動させ、前記キーボード１６のキーの面が下方に向き、前記クリーニングチャンバ１８の左壁の中には左スライド溝１１が設置され、前記左スライド溝１１の中には左スライドブロック３９がスライドできるように設置され、前記クリーニングチャンバ１８の右壁の中には右スライド溝３２が設置され、前記右スライド溝３２の中には右スライドブロック２２がスライドできるように設置され、前記右スライド溝３２の前後壁の間には第二親ねじ３１が回転できるように設置され、前記右スライドブロック２２が前記第二親ねじ３２とねじ山によって嵌合され、前記右スライドブロック２２と前記左スライドブロック３９との間には二つの第一親ねじ３５が回転できるように設置され、前後の前記第一親ねじ３５にはそれぞれ平行移動ブロック３６がねじ山によって嵌合され、前後の前記平行移動ブロック３６がそれぞれ左右両側に位置しており、前記クリーニングチャンバ１８の底壁の中には底スライド溝３３が設置され、前記底スライド溝３３の中には底スライドブロック３４がスライドできるように設置され、前記底スライドブロック３４が前記平行移動ブロック３６と連結され、前記平行移動ブロック３６の上端には固定ロッド３７が固定的に設置され、前側の前記固定ロッド３７の上端には隙間クリーニングブロック３８が固定的に設置され、後側の前記固定ロッド３７の上端には上表面クリーニングブロック２０が固定的に設置され、前記隙間クリーニングブロック３８はキーの間の隙間をクリーニングすることができ、前記上表面クリーニングブロック２０はキーの上表面をクリーニングすることができ、前記第一親ねじ３５が回転して前記隙間クリーニングブロック３８と、前記上表面クリーニングブロック２０とを左右へ繰り返して移動させてクリーニングを行い、前記第二親ねじ３１が回転して前記右スライドブロック２２を前後へ移動させ、それによって前記上表面クリーニングブロック２０と、前記隙間クリーニングブロック３８とを前後へ移動連動させ、キーボード全体へのクリーニングを完成し、前記キーボード箱１０の中には水噴射装置１００が設置され、クリーニングする前に、前記水噴射装置１００が水を噴き出して前記上表面クリーニングブロック２０と、前記隙間クリーニングブロック３８とを湿らす。
【００１４】
有益なように、前記水噴射装置１００は前記キーボード箱１０の中に設置された空きチャンバ５６を含み、前記空きチャンバ５６の後壁の中には上方に開口した置き溝４４が左右対称的に設置され、前記置き溝４４の中にはじょうろ機構４５が置かれており、前記じょうろ機構４５は前記置き溝４４の中から取り出されてその中に水を加えることができ、前記空きチャンバ５６の左右壁の間には押し板４６がスライドできるように設置され、前記押し板４６の後端面が前記じょうろ機構４５と協働され、前記空きチャンバ５６の底壁には回転軸４８が回転できるように設置され、前記回転軸４８には回転盤５０が固定的に設置され、前記回転盤５０の下端面にはヒンジロッド４９がヒンジで連結され、前記ヒンジロッド４９と前記押し板４６との間が押圧ブロック４７によって連結され、前記空きチャンバ５６の底壁には下油シリンダ５３が固定的に設置され、前記下油シリンダ５３の中には左方と右方に開口した下油チャンバ５２が設置され、前記下油チャンバ５２の中には下押し油ブロック５５がスライドできるように設置され、前記下押し油ブロック５５の左端面には前記空きチャンバ５６の中に伸びている伝動ロッド５４が固定的に設置され、前記伝動ロッド５４の左端には前記回転盤５０と噛み合っているラック５１が固定的に設置され、前記下押し油ブロック５５と前記下油チャンバ５２の左壁との間には下バネ６１が連結され、前記側スライド溝２１の底壁には上油シリンダ２７が固定的に設置され、前記上油シリンダ２７の中には連結管３０によって前記下油チャンバ５２と連通している上油チャンバ６２が設置され、前記上油チャンバ６２の中には上押し油ブロック２８がスライドできるように設置され、前記上押し油ブロック２８の下端面と前記上油チャンバ６２の底壁との間には上バネ２９が連結され、前記上押し油ブロック２８の下端面と前記下押し油ブロック５５の右端面との間には作動油が溢れており、前記上押し油ブロック２８の上端面には前記側スライド溝２１の中に伸びて前記側スライドブロック２４の下端面と固定的に連結された連結ロッド２６が固定的に設置され、前記側スライドブロック２４が下降した後、前記上押し油ブロック２８によって作動油を押して前記ラック５１に前記回転盤５０を回転連動させ、更に前記じょうろ機構４５を押して前記じょうろ機構４５に水を吹き出させる。
【００１５】
有益なように、前記左スライドブロック３９の中にはベルトチャンバ４３が設置され、前記平行移動ブロック３６が前記ベルトチャンバ４３の中に伸びており、前後の前記平行移動ブロック３６の間がベルト機構４０によって伝動できるように連結され、前記ベルトチャンバ４３の左壁の中には第一モーター４２が固定的に設置され、前記第一モーター４２が動力軸４１によって前記ベルト機構４０と連結され、前記右スライド溝３２の後壁の中には第二モーター５７が設置され、前記第二親ねじ３１が前記第二モーター５７と動力が伝達できるように連結されている。
【００１６】
有益なように、前記キーボード箱１０の右端面には前記側スライド溝２１と連通しているスイッチスライド溝２５が設置され、前記スイッチスライド溝２５の中には前記側スライドブロック２４と連結されたスイッチ２３がスライドできるように設置され、前記スイッチスライド溝２５の前後端面には協働弧状ブロック５８が固定的に設置され、前記スイッチ２３の前後端面には弧状ブロック６０が固定的に設置され、前記弧状ブロック６０は一定の弾性を持つ材質の物であり、それによって位置を保持する作用を果たせる。
【００１７】
上記の自動クリーニングのパソコンキーボードの実現方法は、以下のステップを含む：
【００１８】
キーボードをクリーニングする時、下方へスイッチ２３をスライドさせ、側スライドブロック２４と、右連結軸１９とによってキーボード１６を下降連動させ、キーボード１６が左連結軸１５によってギヤ１４を下降連動させ、ギヤ１４が伝動歯１３の作用の下で回転してキーボード１６をキーの面が下方に向くまで反転させ、側スライドブロック２４が下降して連結ロッド２６を下方へ押し、連結ロッド２６が上押し油ブロック２８を下方へ押して作動油を押し、それによって下押し油ブロック５５が伝動ロッド５４によってラック５１を左方へ運動連動させ、ラック５１が回転盤５０を回転連動させてヒンジロッド４９によって押圧ブロック４７を後方へ運動連動させ、押圧ブロック４７が押し板４６によってじょうろ機構４５を押してじょうろ機構に水を噴き出させ、それによって隙間クリーニングブロック３８と、上表面クリーニングブロック２０とを湿らし、より良いクリーニング効果を達し、第一モーター４２が始動されて動力軸４１と、ベルト機構４０とによって第一親ねじ３５を回転連動させ、それによって平行移動ブロック３６が平行移動を行い、平行移動ブロック３６が隙間クリーニングブロック３８と、上表面クリーニングブロック２０とを連動させてキーの上表面及びキーの間の隙間をクリーニングし、一列のキーをクリーニングした後、第二モーター５７が始動されて第二親ねじ３１を回転連動させて右スライドブロック２２に後方へ変位を発生させ、右スライドブロック２２が第一親ねじ３５を後方へ変位連動させて次の一列のキーをクリーニングする。
【００１９】
上記により、本発明は構成が簡単で、使用が便利であり、キーボードをクリーニングする時、スイッチを制御すれば本発明を始動してキーボードを自動的にクリーニングすることができ、キーボードのクリーニング効率が大いに高め、また、キーボードの上表面をクリーニングできるだけではなく、キーボードの隙間もクリーニングでき、より良いクリーニング効果を達し、キーボードの清潔を保証できる。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020175374.tif 000003
【図２】
2020175374.tif 000004
【図３】
2020175374.tif 000005